(57)【特許請求の範囲】
【請求項１】
オゾン水の気液分離に用いられる気液分離器であって、
液体を収容する容器を備え、
前記容器の内部は、前記容器の外部から内部に導入された液体が流通するための導入室と、前記容器の内部から外部に導出される液体が流通するための導出室とに区画され、
前記容器には、前記容器の外部と前記導入室とを連通させる第１の開口と、前記容器の外部と前記導出室とを連通させる第２の開口と、前記第１の開口および前記第２の開口よりも上方に配置され且つ前記容器の内部と外部とを連通させる流出口とが形成され、
前記導出室に溜められた液体の液位の変化に連動するフロートを有し、前記フロートの移動に基づいて前記流出口を開閉する液位調整部をさらに備え、
前記導出室に溜められた液体の表面において、前記フロートの水平断面の断面積は、前記導出室の水平断面の断面積から少なくとも前記フロートの水平断面の断面積を減じた断面積を有する導出流路部の水平断面の断面積以下である、気液分離器。
【請求項２】
前記フロートの水平断面の断面積は、前記導出流路部の水平断面の断面積の半分以下である、請求項１に記載の気液分離器。
【請求項３】
前記気液分離器は、仕切部材をさらに備え、
前記容器は、天井面と、底面とを有し、
前記仕切部材は、前記容器の内部において前記底面から上方に向かって延び、且つ、前記導入室と前記導出室とに前記容器の内部を区画し、
前記フロートは、前記容器の内壁面と、前記仕切部材との間に配置されている、
請求項１または請求項２に記載の気液分離器。
【請求項４】
前記容器は、前記天井面と前記底面との間を上下方向に延びる周壁をさらに有し、
前記第１の開口と前記第２の開口とは、向かい合って配置されるように前記周壁に形成され、
前記仕切部材は、筒形状を持つ仕切周壁を有し、
前記容器の平面視において、前記仕切周壁の一端側には、前記第１の開口に面する導入口が形成され、
前記容器の平面視において、前記仕切部材は、前記第２の開口よりも前記第１の開口の近くに配置されている、請求項３に記載の気液分離器。
【請求項５】
前記仕切周壁の前記一端側が前記容器の一端側の前記周壁に固定され、
前記容器の平面視において、前記仕切周壁の前記一端側の外面から他端側の外面までの水平方向に沿った前記仕切周壁の寸法は、前記仕切周壁の前記他端側の外面から前記容器の他端側の前記周壁の内面までの水平方向に沿った距離よりも小さい、
請求項４に記載の気液分離器。
【請求項６】
前記容器の平面視において、前記第１の開口と前記第２の開口とを結ぶ直線は、前記フロートを通る、請求項５に記載の気液分離器。
【請求項７】
前記導入室の容積は、前記導出室の容積よりも小さい、
請求項１から請求項６までのいずれか１項に記載の気液分離器。
【請求項８】
前記液位調整部は、液体の液位が所定の上限位に達する場合に前記流出口を閉塞する、
請求項１から請求項７までのいずれか１項に記載の気液分離器。
【請求項９】
請求項１から請求項８までのいずれか１項に記載の気液分離器と、
オゾンを発生させる気体発生器と、
前記気液分離器に供給される液体に、前記気体発生器が発生させたオゾンを混合させる気液混合器とを備えた、溶解液生成装置。
【請求項１０】
前記溶解液生成装置は、オゾンが溶解した水を生成するオゾン水生成装置である、
請求項９に記載の溶解液生成装置。
【請求項１１】
請求項９または請求項１０に記載の溶解液生成装置を備えた、衛生器具用洗浄装置。
【発明の詳細な説明】
【技術分野】
【０００１】
本発明は、気液分離器およびそれを備えた溶解液生成装置、並びに、それを備えた衛生器具用洗浄装置に関する。
【背景技術】
【０００２】
液体と気体とを混合することによって、液体中に気体が溶解された溶解液を生成する溶解液生成装置の気液分離器として、例えば特開２００２−５２３０１号公報（以下、特許文献１という）に記載されたオゾン水生成器のオゾン水タンクが従来から知られている。特許文献１に記載されたオゾン水生成器は、オゾナイザーと、混合溶解手段としてのエジェクタと、オゾン水タンクと、処理装置と、排水ホースとを備えている。
【０００３】
オゾナイザーは、オゾンガスを発生させる。エジェクタは、水道蛇口から供給される水が流通する経路に配置されている。エジェクタは、水道水がエジェクタを通る際に、オゾンガスを吸引することにより、水道水とオゾンガスとを混合させる。このようにして、特許文献１に記載されたオゾン水生成器において、水道水にオゾンが溶解したオゾン混合水が生成される。
【０００４】
特許文献１に記載されたオゾン水生成器において、オゾン水タンクは、エジェクタで生成されたオゾン混合水を、水に溶解しない余剰のオゾンガスと、オゾンガスが溶解したオゾン水とに気液分離する。また、オゾン水タンクは、気液分離して得られたオゾン水を貯留する。余剰のオゾンガスは、排気口からオゾン水タンクの外部に排気され、且つ、処理装置に送り込まれることにより、酸素に還元処理される。余剰のオゾンガスは、還元処理された後に、大気に排出される。オゾン水タンクに貯留されたオゾン水は、排水ホースから当該オゾン水生成器の外部に排出される。
【０００５】
また、特許文献１に記載されたオゾン水生成器において、オゾン水タンクは、フロートと、開閉機構とを備えている。フロートは、オゾン水の水位の変動に合わせて上昇または下降する。開閉機構は、フロートに連動する。開閉機構は、フロートが上昇する場合には、排気口を塞ぐことができる。そのため、オゾン水タンクに貯留されたオゾン水の水位が上昇する場合に、排気口からオゾン水が噴出することが防止されている。
【０００６】
フロートは、略三日月形状の断面を有している。特許文献１に記載されたオゾン水生成器においては、フロートの上方に広いスペースが形成される必要がないため、オゾン水タンクの全体の高さが低く抑えられている。このように、特許文献１に記載されたオゾン水生成器においては、オゾン水タンクの小型化が図られている。
【先行技術文献】
【特許文献】
【０００７】
【特許文献１】特開２００２−５２３０１号公報
【発明の概要】
【発明が解決しようとする課題】
【０００８】
しかしながら、特許文献１に記載されたオゾン水生成器において、略三日月形状の断面を有するフロートは、オゾン水タンクの水が流通する流路の大部分を塞ぐように、オゾン水タンクの内部に配置されている。すなわち、特許文献１に記載のオゾン水生成器において、オゾン水タンクの内部から外部に流出する水が流通する流路の断面積が、フロートの断面積によって縮小されている。
【０００９】
そのため、オゾン水タンクを流通する水の流速が上昇することにより、未溶解のオゾンガスが、オゾン水とともにオゾン水タンクの外部に容易に流出する。その結果、オゾン水タンクの気液分離の性能が低下する。
【００１０】
そこで、本発明の目的は、未溶解気体が外部に流出することが抑制された気液分離器およびそれを備えた溶解液生成装置、並びに、それを備えた衛生器具用洗浄装置を提供することである。
【課題を解決するための手段】
【００１１】
本発明に従った気液分離器は、オゾン水の気液分離に用いられる気液分離器であって、液体を収容する容器を備えている。本発明に従った気液分離器において、容器の内部は、導入室と、導出室とに区画されている。導入室は、容器の外部から内部に導入された液体が流通するためのものである。導出室は、容器の内部から外部に導出される液体が流通するためのものである。容器には、第１の開口と、第２の開口と、流出口とが形成されている。第１の開口は、容器の外部と導入室とを連通させる。第２の開口は、容器の外部と導出室とを連通させる。流出口は、第１の開口および第２の開口よりも上方に配置され且つ容器の内部と外部とを連通させる。
【００１２】
本発明に従った気液分離器は、液位調整部をさらに備えている。液位調整部は、フロートを有している。フロートは、導出室に溜められた液体の液位の変化に連動する。液位調整部は、フロートの移動に基づいて流出口を開閉する。導出室に溜められた液体の表面において、フロートの水平断面の断面積は、導出室の水平断面の断面積から少なくともフロートの水平断面の断面積を減じた断面積を有する導出流路部の水平断面の断面積以下である。
【００１３】
本発明によれば、導出室の液位に応じて流出口を開閉することにより、流出口から液体が噴出することを防止することができ、且つ、容器の内部において未溶解の気体が貯留される空間の容積を調整することができる。気体が貯留される空間の容積が調整されることにより、当該気液分離器において、液体から未溶解の気体を効果的に分離させることができる。
【００１４】
また、本発明によれば、フロートの水平断面の断面積は、導出流路部の断面積以下である。言い換えると、本発明によれば、容器の内部から外部に流出する液体が流通する流路の断面積、つまり、導出流路部の断面積は、フロートの水平断面の断面積と同一またはフロートの水平断面の断面積よりも大きい。このように、本発明によれば、容器の内部から外部に流出する液体が流通する流路の断面積を、比較的大きく維持することができる。そのため、導出室において、溶液の流速が上昇することを抑制することができる。これにより、未溶解の気体が、液体とともに容器の外部に流出することを抑制することができる。したがって、当該気液分離器の気液分離の性能の低下を防止することができる。
【００１５】
本発明に従った気液分離器において、フロートの水平断面の断面積は、好ましくは、導出流路部の断面積の半分以下である。
【００１６】
この構成によれば、導出流路部の断面積は、フロートの水平断面の断面積の２倍よりも大きい。このように、この構成によれば、容器の内部から外部に流出する液体が流通する流路の断面積をさらに大きく維持することができる。そのため、導出室において、溶液の流速が上昇することをさらに抑制することができ、未溶解の気体が液体とともに容器の外部に流出することをより効果的に抑制することができる。
【００１７】
本発明に従った気液分離器は、仕切部材をさらに備えていることが好ましい。容器は、天井面と底面とを有していることが好ましい。仕切部材は、好ましくは、容器の内部において底面から上方に向かって延び、且つ、導入室と導出室とに容器の内部を区画する。フロートは、好ましくは、容器の内壁面と、仕切部材との間に配置されている。
【００１８】
この構成によれば、フロートが上下に移動する際に、容器の内壁面のいずれかの部分または仕切部材によってフロートが支持されることにより、フロートに傾きが生じることを防止することができる。これにより、容器の内部から外部に流出する液体が流通する流路の断面積を、比較的大きく維持することができる。
【００１９】
本発明に従った気液分離器において、容器は、周壁をさらに有していることが好ましい。周壁は、好ましくは、天井面と底面との間を上下方向に延びている。第１の開口と第２の開口とは、好ましくは、向かい合って配置されるように周壁に形成されている。仕切部材は、好ましくは、筒形状を持つ仕切周壁を有している。好ましくは、容器の平面視において、仕切周壁の一端側には、第１の開口に面する導入口が形成されている。好ましくは、容器の平面視において、仕切部材は、第２の開口よりも第１の開口の近くに配置されている。
【００２０】
この構成によれば、仕切周壁の他端側の外面と、容器の他端側の周壁の内面との距離を拡大させることができる。これにより、当該気液分離器において、導出室の容積を拡大させることができる。したがって、容器の内部に導入された液体を第２の開口から排出させるまでに、容器の内部において液体から気体をより効率よく分離させることができる。
【００２１】
本発明に従った気液分離器において、導出室を流通する溶液の流速は、第２の開口に向かって加速される。また、導入室から導出室に移動する溶液が、仕切部材の上端付近から底面に向かって落下することによって導出室に溜められた溶液の液面に衝突する場合には、液面の周りの空気が溶液に混合されることにより、溶液に多数の気泡が発生する。
【００２２】
しかしながら、本発明に従った気液分離器においては、仕切周壁および容器の一端側から離れた位置に第２の開口が配置されている。つまり、導入室から導出室に移動する溶液は、第２の開口から比較的離れた位置において液面と衝突する。そのため、液面に衝突することによって多数の気泡が発生する場合でも、気泡を含む溶液が第２の開口まで移動する間に、溶液から気泡を確実に分離させることができる。このようにして、この構成によれば、第２の開口を通って容器の外部に気泡が排出されることを抑制することができる。
【００２３】
本発明に従った気液分離器において、好ましくは、仕切周壁の一端側が容器の一端側の周壁に固定されている。好ましくは、容器の平面視において、仕切周壁の一端側の外面から他端側の外面までの水平方向に沿った仕切周壁の寸法は、仕切周壁の他端側の外面から容器の他端側の周壁の内面までの水平方向に沿った距離よりも小さい。
【００２４】
この構成によれば、仕切部材と容器とを容易に一体に形成することができる。また、第１の開口に仕切部材の仕切周壁をさらに近づけることができるとともに、仕切周壁と第２の開口とをさらに遠ざけることができる。これにより、当該気液分離器において、導出室の容積を容器の幅方向にさらに拡大させることができる。また、この構成によれば、導入室から導出室に移動する溶液は、第２の開口からより離れた位置において液面と衝突することができる。そのため、気泡を含む溶液が第２の開口まで移動する間に、溶液から気泡をより確実に分離させることができる。
【００２５】
本発明に従った気液分離器の容器の平面視において、第１の開口と第２の開口とを結ぶ直線は、好ましくは、フロートを通る。
【００２６】
この構成によれば、導出室において、導出流路部を仕切部材の周囲に形成させることができる。そのため、導入室から導出室に移動する溶液が液面に達する位置は、仕切部材の周囲であって、第２の開口から比較的離れた位置である。また、容器の平面視において、第１の開口と第２の開口とを結ぶ直線は、フロートを通る。そのため、仕切部材から第２の開口に向かって移動する溶液は、フロートによって移動が干渉され易い。そのため、容器の内部において、溶液の流速が上昇することを抑制することができ、未溶解の気体が液体とともに容器の外部に流出することを効果的に抑制することができる。
【００２７】
本発明に従った気液分離器において、導入室の容積は、導出室の容積よりも小さいことが好ましい。
【００２８】
導入室から導出室に移動した溶液の流速は、導出室の容積が導入室の容積よりも大きいことにより、導出室において減速される。そのため、導出室を流れる溶液に含まれる未溶解の気体が、溶液とともに容器の外部に排出されることを抑制することができる。
【００２９】
本発明に従った気液分離器において、液位調整部は、好ましくは、液体の液位が所定の上限位に達する場合に流出口を閉塞する。
【００３０】
この構成によれば、容器の内部において、未溶解の気体が溜められた空間の容積を所定の範囲において維持することができる。これにより、容器の内部に流入した溶液が、気体が貯留された空間を通過する際に、溶液が気体に容易に触れることができるため、溶液に含まれる未溶解気体を溶液から効率よく分離させることができる。
【００３１】
また、容器の内部に勢いよく溶液が流入する場合でも、未溶解の気体が溜められた空間の容積が比較的大きいことと、液位調整部によって流出口が閉塞されていることとにより、流出口から溶液が噴出することを確実に防止することができる。
【００３２】
本発明に従った溶解液生成装置は、上記のいずれかの気液分離器と、オゾンを発生させる気体発生器と、気液分離器に供給される液体に、気体発生器が発生させたオゾンを混合させる気液混合器とを備えていることが好ましい。
【００３３】
本発明に従った溶解液生成装置は、未溶解気体が気液分離器の外部に流出することを抑制することができる。
【００３４】
上記の溶解液生成装置は、オゾンが溶解した水を生成するオゾン水生成装置であることが好ましい。本発明に従った溶解液生成装置であるオゾン水生成装置において、気体発生器は、好ましくはオゾンを発生させる。
【００３５】
本発明に従った溶解液生成装置であるオゾン水生成装置は、未溶解のオゾンが気液分離器の外部に流出することを抑制することができる。
【００３６】
本発明に従った衛生器具用洗浄装置は、上記のいずれかの溶解液生成装置を備えていることが好ましい。
【００３７】
本発明に従った溶解液生成装置を備えた衛生器具用洗浄装置において、溶解液生成装置は、未溶解気体が気液分離器の外部に流出することを抑制することができる。
【発明の効果】
【００３８】
以上のように、本発明によれば、未溶解気体が外部に流出することが抑制された気液分離器およびそれを備えた溶解液生成装置、並びに、それを備えた衛生器具用洗浄装置を提供することができる。
【図面の簡単な説明】
【００３９】
【図１】本発明に従った気液分離器を備えたオゾン水生成装置を模式的に示す図である。
【図２】本発明に従った気液分離器の一例の断面図である。
【図３】図２のＩＩＩ−ＩＩＩ線によって切断される本発明に従った気液分離器の一例の断面図である。
【図４】本発明に従った気液分離器の別の一例の断面図である。
【図５】衛生器具設備の一例としての便所を洗浄するためのオゾン水生成装置を備えた衛生器具用洗浄装置の一例を示す模式図である。
【図６】衛生器具の一例としての小便器を洗浄するためのオゾン水生成装置を備えた衛生器具用洗浄装置の一例を示す模式図である。
【図７】衛生器具の一例としての大便器を洗浄するためのオゾン水生成装置を備えた衛生器具用洗浄装置の一例を示す模式図である。
【発明を実施するための形態】
【００４０】
発明者は、鋭意研究の結果、容器を有し、容器の内部にフロートが収容され、且つ、未溶解の気体を液体から分離させる気液分離器において、容器の内部から外部に流出する液体が流通する流路の断面積を、フロートの水平断面の断面積と同一またはフロートの水平断面の断面積よりも大きくすることにより、未溶解の気体を液体から効果的に分離させることが可能であることを見出した。さらに、気液分離器において、容器の内部から外部に流出する液体が流通する流路の断面積を、フロートの水平断面の断面積の２倍よりも大きくすることにより、未溶解の気体を液体からさらに効果的に分離させることが可能であることを見出した。本発明は、以上のような知見に基づいてなされたものである。
【００４１】
以下、本発明の実施の形態を図面に基づいて説明する。
【００４２】
（第１実施形態）
図１に、本発明に係る気液分離器を備えたオゾン水生成装置１００を示す。オゾン水生成装置１００は、本発明に係る溶解液生成装置の一例であって、オゾンが溶解した水を供給する装置である。オゾン水生成装置１００は、気体流路１１４と、液体流路１２１と、オゾン発生器１２０と、エジェクタ１３０と、気液分離器の一例としての気液分離部１４０とを備えている。
【００４３】
オゾン水生成装置１００は、当該装置の外部から気体を導入する気体導入部１１０を備えている。気体導入部１１０は、管路１１１と逆止弁１１２とを有している。管路１１１の一端は、酸素または空気を貯蔵したガスボンベ（図示せず）等と接続している。ただし、管路１１１の一端は、大気圧に開放されていてもよい。なお、管路１１１と気体流路１１４と液体流路１２１とは、一般的な配管によって形成されており、図示しない管状部材によって形成されている。
【００４４】
管路１１１の他端は、接続部１１３を介して気体流路１１４に接続されている。気体流路１１４は、気体状態のオゾンを流通させるためのものである。
【００４５】
なお、管路１１１には、オゾンガスを還元する機能を有するオゾンフィルタ（図示せず）が配置されていてもよい。オゾンフィルタは、例えば、オゾンを分解するための触媒が、格子状に構成された紙またはアルミニウムに付着されたもの等、一般的なオゾンフィルタである。
【００４６】
オゾン発生器１２０は、気体状態のオゾンを生成し且つ生成したオゾンを気体流路１１４に供給する。気体導入部１１０によって導入された空気または酸素等の気体は、管路１１１と気体流路１１４とを通ってオゾン発生器１２０に導入される。オゾン発生器１２０は、金属電極によって形成されたオゾン発生素子（図示せず）を有している。オゾン発生素子は、導入された空気または酸素を材料にしてオゾンガスを発生させる。なお、オゾン発生器１２０の構成は、特に限定されず、気体流路１１４から導入される空気または酸素等の気体からオゾンガスを生成するように構成されていればよい。オゾン発生器１２０としては、一般的なオゾン発生器を用いることが可能である。
【００４７】
オゾン水生成装置１００において、液体としての水は液体流路１２１を流通する。液体流路１２１は、オゾンが溶解される水を流通させる。オゾン水生成装置１００は、給水部１５０を備えている。オゾン水生成装置１００の使用者が図示しない水道蛇口を開放することにより、原水としての水道水が給水部１５０からオゾン水生成装置１００に供給される。ただし、原水は、水道水に限定されず、浄化もしくは精製された水であってもよい。
【００４８】
液体流路１２１は、給水部１５０に接続している。給水部１５０は、図示しない電磁弁を有している。給水部１５０は、オゾン水生成装置１００の本体（図示せず）の外部に配置されていてもよく、本体の内部に収容されていてもよい。給水部１５０の弁は、液体流路１２１のうちのエジェクタ１３０よりも水の流れ方向の上流の部分を開閉する。
【００４９】
オゾン水生成装置１００においては、気液混合部として、エジェクタ型のものが利用されている。気液混合部の一例としてのエジェクタ１３０は、液体流路１２１の一部を形成している。エジェクタ１３０には、気体の流入口１３３と液体の流入口１３１とオゾン水の流出口１３２とが形成されている。気体流路１１４の一端は、流入口１３３を介してエジェクタ１３０に接続されている。
【００５０】
オゾン発生器１２０から気体流路１１４に供給されるオゾンは、気体流路１１４の一端からエジェクタ１３０に導入される。エジェクタ１３０に導入されるオゾンは、液体流路１２１を流通する水に混合され、且つ、液体流路１２１の流れの圧力に基づいて水に溶解される。このようにして、エジェクタ１３０は、液体流路１２１を流通する水に、オゾン発生器１２０から気体流路１１４に供給される気体としてのオゾンを溶解させる。
【００５１】
エジェクタ１３０よりも、液体流路１２１を流通する水の流れ方向の下流には、気液分離部１４０が配置されている。気液分離部１４０は、液体流路１２１のうちのエジェクタ１３０よりも水の流れ方向の下流の一部を形成している。気液分離部１４０には、気体の流出口１４３とオゾン水の流入口１４１とオゾン水の流出口１４２とが形成されている。流出口１４３には、気体流路１１４の他端が接続されている。
【００５２】
流入口１４１から気液分離部１４０の内部に流入したオゾン水には、オゾンの気泡が、水に完全に溶解しないまま残っている。気液分離部１４０において、オゾンの気泡と水中に含まれる空気等の気体とは、液体流路１２１を流通する水から分離された後に、流出口１４３から気体流路１１４に排出される。気液分離部１４０は、液体流路１２１を流通する水からオゾンの気泡を含む気体を分離させる。また、気液分離部１４０は、水から分離されたオゾンの一部を気体流路１１４の他端から気体流路１１４に排出する。
【００５３】
図２に示すように、気液分離部１４０は、容器１０４と、容器１０４に収容された内筒１４７とを備えている。容器１０４と内筒１４７とは、例えば樹脂材料によって形成されている。容器１０４は、天井面１４６と、底面１４５と、周壁１４９とを有している。周壁１４９は、天井面１４６と底面１４５との間を上下方向に延びている。図２と図３とを参照するように、周壁１４９と内筒１４７とは、それぞれ略円筒形状を有している。天井面１４６と底面１４５とは、それぞれ略円盤形状を有している。
【００５４】
例えば、図２の左右方向または図３の左右方向のことを容器１０４の幅方向という。また、図２の上下方向は、鉛直上下方向と略一致している。
【００５５】
仕切部材の一例としての内筒１４７は、容器１０４の内部において容器１０４の幅方向の一端側に配置されている。図２に示すように、容器１０４の内部の左側に内筒１４７が配置されている。内筒１４７は、略円筒形状を持つ仕切周壁１４７ｂを有している。仕切周壁１４７ｂは、容器１０４の底面１４５から上方に向かって延びている。
【００５６】
仕切周壁１４７ｂの上端面１４７ｃは、天井面１４６よりも下方に配置されている。上端面１４７ｃは、天井面１４６に面している。上端面１４７ｃが延びる方向は、天井面１４６および底面１４５が延びる方向と略平行な方向である。天井面１４６および底面１４５は、略水平方向に延びている。つまり、上端面１４７ｃの全体は、略水平方向から傾斜することなく、底面１４５に対して略同一位置に配置されている。
【００５７】
内筒１４７は、導入室４１と導出室４２とに容器１０４の内部を区画する。導入室４１は、容器１０４の外部から内部に導入された水が流通するための空間である。導出室４２は、容器１０４の内部から外部に導出される水が流通するための空間である。
【００５８】
導入室４１の容積は、導出室４２の容積よりも小さい。導入室４１は、容器１０４の左側において、仕切周壁１４７ｂに囲まれた空間を含む。導出室４２は、容器１０４の周壁１４９の内面１４９ｓａと仕切周壁１４７ｂの外面とに囲まれた空間を含む。導入室４１と導出室４２とは、天井面１４６付近の空間の一部、つまり、仕切周壁１４７ｂの上端面１４７ｃと天井面１４６とに挟まれた空間によって互いに接続されている。仕切周壁１４７ｂの上端面１４７ｃと天井面１４６とに挟まれた空間は、導入室４１の一部であってもよく、導出室４２の一部であってもよく、または、後述する空間４３の一部であってもよい。
【００５９】
オゾン水の流入口１４１とオゾン水の流出口１４２とは、周壁１４９に形成されている。第１の開口の一例としての流入口１４１と、第２の開口の一例としての流出口１４２とは、内筒１４７の上端面１４７ｃよりも下方に配置されている。流入口１４１は、容器１０４の外部と導入室４１とを連通させる。上下方向に沿った流入口１４１の下端の位置は、底面１４５の位置と略一致している。
【００６０】
一方、導出室４２と容器１０４の外部とは、流出口１４２を介して互いに連通する。上下方向に沿った流出口１４２の下端の位置は、底面１４５の位置と略一致している。
【００６１】
容器１０４の上壁の一部には、筒状部１４４が形成されている。筒状部１４４は、空間４３の上方に配置されている。筒状部１４４の下端の開口は、気体の流出口１４３である。流出口１４３は、容器１０４の天井面１４６に形成されている。気体の流出口１４３は、流入口１４１および流出口１４２よりも上方に配置されている。容器１０４の内部と外部とは、流出口１４３を介して連通する。詳細には、気体を貯留する空間４３と、容器１０４の外部とが、流出口１４３を介して互いに連通する。
【００６２】
筒状部１４４の上端から下端までは、気体流路１１４（図１参照）の一部を形成している。気体流路１１４の他端において、気体流路１１４と容器１０４の内部とは、流出口１４３によって連通されている（図１参照）。
【００６３】
容器１０４の左側の周壁１４９にはノズル２１ｐが取り付けられている。ノズル２１ｐは、流入口１４１に挿入されている。容器１０４の右側の周壁１４９にはノズル２２ｐが取り付けられている。ノズル２１ｐと、ノズル２２ｐは、互いに略平行な方向であって、容器１０４の幅方向に延びている。
【００６４】
ノズル２２ｐは、流出口１４２に挿入されている。ノズル２１ｐの内部とノズル２２ｐの内部とは、液体流路１２１の一部を形成している。なお、ノズル２１ｐとノズル２２ｐのいずれかまたは両方は、容器１０４と一体成型されていてもよい。
【００６５】
図３に示すように、流入口１４１と流出口１４２とは、容器１０４の幅方向に沿って互いに対向するように周壁１４９に形成されている。つまり、容器１０４の平面視において、流入口１４１と流出口１４２とは、互いに対向している。容器１０４の平面視において、流入口１４１と流出口１４２とを結ぶ直線は、後述するフロート７１を通る。
【００６６】
仕切周壁１４７ｂの一端側の外面が容器１０４の一端側の周壁１４９の内面１４９ｓａに固定されることにより、内筒１４７は、容器１０４に接触している。容器１０４の平面視において、仕切周壁１４７ｂの一端側の外面から他端側の外面までの水平方向に沿った仕切周壁１４７ｂの寸法Ｌ1は、仕切周壁１４７ｂの他端側の外面から容器１０４の他端側の周壁１４９の内面１４９ｓａまでの水平方向に沿った距離Ｌ2よりも小さい。このように、容器１０４の平面視において、内筒１４７は、流出口１４２よりも流入口１４１の近くに配置されている。
【００６７】
容器１０４の平面視において、仕切周壁１４７ｂの一端側には、導入口１４７ａが形成されている。仕切周壁１４７ｂの外面または周壁１４９の内面１４９ｓａにおいて、導入口１４７ａは、流入口１４１に面している。導入口１４７ａの口径と、流入口１４１に挿入された部分のノズル２１ｐの口径とは、略同一である。また、流入口１４１に挿入された部分のノズル２１ｐの端面は、導入口１４７ａを囲む仕切周壁１４７ｂの外面に接触している。
【００６８】
このように、液体流路１２１は、周壁１４９と仕切周壁１４７ｂとにおいて連続している。さらに、液体流路１２１は、ノズル２１ｐの内部と、仕切周壁１４７ｂの内側との間において連続している。導入室４１と容器１０４の外部とは、流入口１４１および導入口１４７ａを介して互いに連通する。
【００６９】
図２に示すように、容器１０４の内部には、気体を貯留する空間４３が形成されている。空間４３は、容器１０４の内部の溶液の液面と天井面１４６との間に形成されている。気液分離部１４０においては、内筒１４７が流出口１４２よりも流入口１４１の近くに配置されているため、空間４３のうち、導出室４２の上方に配置された部分の容積が比較的大きい。導入室４１と、導出室４２と、空間４３の一部とは、液体流路１２１の一部を形成している。なお、液体流路１２１の一部を形成する空間４３の一部は、導入室４１の一部と導出室４２の一部とを兼用する。
【００７０】
気液分離部１４０は、液位調整部７０を備えている。液位調整部７０は、容器１０４の内部の溶液の液位を調整する液位調整部の一例である。液位調整部７０は、フロート７１と、栓部７３とを有している。栓部７３は、ゴム等の弾性材料によって球体状または円盤状に形成されている。栓部７３の球または円盤の径は、流出口１４３の径よりも大きい。栓部７３は、流出口１４３の下方に配置されている。
【００７１】
フロート７１は、導出室４２に溜められたオゾン水の水位の変化に連動する。液位調整部７０は、フロート７１の移動に基づいて流出口１４３を開閉する。液位調整部７０は、流出口１４３を開閉することにより、空間４３の容積を所定の範囲に維持する。
【００７２】
また、液位調整部７０は、フロートガイド７５と、容器１０４側の支持部７６と、フロート７１側の支持部７７とを有している。容器１０４側の支持部７６は、天井面１４６に固定されている。フロート７１側の支持部７７は、フロート７１の上壁７１ａに固定されている。
【００７３】
フロートガイド７５は、樹脂材料によって形成されたロッド状または板状の部材である。フロートガイド７５が支持部７６を中心に回転自在であるように、フロートガイド７５の一端は、支持部７６に取り付けられている。また、フロートガイド７５の中央部には、栓部７３が形成されている。フロートガイド７５の他端は、支持部７７に取り付けられている。
【００７４】
オゾン水の水位の変化に応じてフロート７１が上下に移動する場合に、フロートガイド７５が支持部７６を中心に回転する。このフロートガイド７５の回転に伴って、栓部７３が上下に移動する。
【００７５】
フロート７１は、支持部７７と接続されるように、上壁７１ａを有している。図２と図３とを参照するように、フロート７１は、略円筒形状を有している。フロート７１の水平断面は、容器１０４の上下方向に沿って一定である。
【００７６】
図３は、図２のＩＩＩ−ＩＩＩ線の断面図である。図２のＩＩＩ−ＩＩＩ線は、導出室４２に溜められたオゾン水の水面Ｓの位置において延びる水平線である。図３に示すように、フロート７１は、容器１０４の右側の周壁１４９の内面１４９ｓａと、内筒１４７との間に配置されている。容器１０４の右側の周壁１４９の内面１４９ｓａは、容器１０４の内壁面の一例である。
【００７７】
仕切周壁１４７ｂの一端側の外面から他端側の外面までの水平方向に沿った仕切周壁１４７ｂの寸法Ｌ1は、仕切周壁１４７ｂの外径である。一方、容器１０４の周壁１４９の内径は、（Ｌ1＋Ｌ2）によって表される。
【００７８】
また一方、円筒形状を有するフロート７１の周壁７１ｂは、所定の外径Ｄを有している。これらの周壁１４９の内面１４９ｓａの形状、内筒１４７の形状、および、フロート７１の周壁７１ｂの形状によって、水面Ｓにおいて形成される導出流路部４４の断面積が決定される。
【００７９】
水面Ｓにおいて、フロート７１の水平断面の断面積は、導出流路部４４の断面積以下である。なお、導出流路部４４の断面積とは、導出室４２の水平断面の断面積から少なくともフロート７１の水平断面の断面積を減じた断面積のことである。言い換えると、導出流路部４４は、導出室４２の水平断面の断面積から少なくともフロート７１の水平断面の断面積を減じた断面積を有している。
【００８０】
なお、図３に示す例において、フロート７１の水平断面の断面積は、導出流路部４４の断面積の半分以下である。ただし、容器１０４の容積に対して、より大きなフロート７１が容器１０４に収容されていてもよい。フロート７１の水平断面の断面積は、導出流路部４４の断面積以下であればよい。
【００８１】
次に、図１〜図２を用いて、オゾン水生成装置１００の水の流れと、オゾンを含む気体の流れとを説明する。オゾン水生成装置１００において、液体としての水は、給水部１５０から液体流路１２１に供給される。液体流路１２１を流れる水は、流入口１３１からエジェクタ１３０の内部に流入する。エジェクタ１３０の内部を流通した水は、流出口１３２からエジェクタ１３０の外部に流出する。
【００８２】
エジェクタ１３０の内部には、オゾン発生器１２０が発生させた気体のオゾンが流入口１３３から流入する。流入口１３３から流入した気体のオゾンは、液体流路１２１としてエジェクタ１３０の内部を流通する水に混合される。水に混合されたオゾンの一部は、水流の圧力に基づいて水に溶解される。オゾンを含む水は、流出口１３２からエジェクタ１３０の外部に流出する。
【００８３】
流出口１３２からエジェクタ１３０の外部に流出したオゾンを含む水は、流入口１４１から気液分離部１４０の内部に流入する。図２に示すように、ノズル２１ｐの内部から容器１０４の内部に流入したオゾンを含む水は、仕切周壁１４７ｂの内面に沿って、底面１４５から上方に向かって導入室４１を流通する。導入室４１の上部に達した溶液は、仕切周壁１４７ｂの上端面１４７ｃと天井面１４６との間を移動した後に、下方に向かって導出室４２を流通する。導出室４２の下部のうちの底面１４５の近傍に達した溶液は、流出口１４２から容器１０４の外部に流出する。
【００８４】
溶液の気泡に含まれるオゾンまたは空気等の気体は、容器１０４の内部を流通する間に、溶液から分離される。このように、溶液の気泡に含まれるオゾンまたは空気等の気体が溶液から分離された水として、オゾンが水に溶解したオゾン水が生成される。オゾンが水に溶解したオゾン水は、流出口１４２からノズル２２ｐの内部に流出することにより、気液分離部１４０の外部に流出する。
【００８５】
一方、溶液から分離されたオゾンまたは空気等の気体は、容器１０４の内部を流通する間に、空間４３に集められる。空間４３に集められた気体は、液位調整部７０が流出口１４３を開放している場合に、流出口１４３から筒状部１４４の内部を流通することにより、気液分離部１４０の外部に排出される。
【００８６】
気液分離部１４０において水から分離された空気とオゾンの一部とは、流出口１４３から気体流路１１４に流出する（図１参照）。水に溶解されていないオゾンと空気とは、気体流路１１４に排出された後に流入口１３３からエジェクタ１３０の内部に再び流入する。エジェクタ１３０において水に溶解されなかったオゾンは、気体流路１１４と、エジェクタ１３０と気液分離部１４０との間に延びる液体流路１２１の一部とを循環する間に、液体流路１２１を流通する水に次第に溶解される。オゾンが溶解したオゾン水は、流出口１４２から気液分離部１４０の外部に排出された後に、吐水部１６０からオゾン水生成装置１００の外部に供給される。
【００８７】
図２に示すように、導出室４２に溜められたオゾン水の水位が所定の上限位に達する場合には、栓部７３が流出口１４３を下方から覆うことにより、栓部７３が流出口１４３を閉塞する。これにより、エジェクタ１３０の吸引の作動によって流入口１３３から管路１１１（いずれも図１参照）に至る空間と、接続部１１３（図１参照）から流出口１４３に至る空間とが負圧となるため、逆止弁１１２（図１参照）が開くことによってエジェクタ１３０に外気が流入する。その結果、気液分離部１４０の空間４３に外気が流れ込む。これにより、気体が貯留される空間４３の容積が拡大するため、フロート７１の高さが下がることによって水位を自動的に調整することができる。
【００８８】
また、流出口１４３が閉塞されている場合には、気液分離部１４０からオゾン発生器１２０（図１参照）にオゾンが供給されない。しかしながら、上述のように、オゾン発生器１２０には、逆止弁１１２が開かれることによって、外気が供給される。このように、流出口１４３が液位調整部７０によって閉塞されている場合に、オゾン発生器１２０は、気体導入部１１０から気体を導入することによって、オゾンを生成することができる。
【００８９】
以上のように、第１実施形態のオゾン水生成装置１００の気液分離部１４０は、オゾン水を収容する容器１０４を備えている。気液分離部１４０において、容器１０４の内部は、導入室４１と、導出室４２とに区画されている。導入室４１は、容器１０４の外部から内部に導入されたオゾン水が流通するためのものである。導出室４２は、容器１０４の内部から外部に導出されるオゾン水が流通するためのものである。容器１０４には、流入口１４１と、流出口１４２と、流出口１４３とが形成されている。流入口１４１は、容器１０４の外部と導入室４１とを連通させる。流出口１４２は、容器１０４の外部と導出室４２とを連通させる。流出口１４３は、流入口１４１および流出口１４２よりも上方に配置され且つ容器１０４の内部と外部とを連通させる。
【００９０】
気液分離部１４０は、液位調整部７０を備えている。液位調整部７０は、フロート７１を有している。フロート７１は、導出室４２に溜められたオゾン水の水位の変化に連動する。液位調整部７０は、フロート７１の移動に基づいて流出口１４３を開閉する。導出室４２に溜められたオゾン水の水面Ｓにおいて、フロート７１の水平断面の断面積は、導出流路部４４の断面積以下である。導出流路部４４は、導出室４２の水平断面の断面積から少なくともフロート７１の水平断面の断面積を減じた断面積を有している。
【００９１】
気液分離部１４０によれば、導出室４２の水位に応じて流出口１４３を開閉することにより、流出口１４３から溶液が噴出することを防止することができ、且つ、容器１０４の内部において気体が貯留される空間４３の容積を調整することができる。未溶解の気体が貯留される空間４３の容積が調整されることにより、気液分離部１４０において溶液から未溶解の気体を効果的に分離させることができる。
【００９２】
また、気液分離部１４０によれば、フロート７１の水平断面の断面積は、導出流路部４４の断面積以下である。言い換えると、気液分離部１４０によれば、容器１０４の内部から外部に流出するオゾン水が流通する流路の断面積、つまり、導出流路部４４の断面積は、フロート７１の水平断面の断面積と同一またはフロート７１の水平断面の断面積よりも大きい。このように、気液分離部１４０によれば、容器１０４の内部から外部に流出するオゾン水が流通する流路の断面積を比較的大きく維持することができる。そのため、導出室４２において、オゾン水の流速が上昇することを抑制することができる。これにより、未溶解の気体がオゾン水とともに容器１０４の外部に流出することを、抑制することができる。したがって、気液分離部１４０の気液分離の性能の低下を防止することができる。
【００９３】
気液分離部１４０において、フロート７１の水平断面の断面積は、導出流路部４４の断面積の半分以下である。
【００９４】
この構成によれば、導出流路部４４の断面積は、フロート７１の水平断面の断面積の２倍よりも大きい。このように、この構成によれば、容器１０４の内部から外部に流出するオゾン水が流通する流路の断面積をさらに大きく維持することができる。そのため、導出室４２において、オゾン水の流速が上昇することをさらに抑制することができ、未溶解の気体がオゾン水とともに容器１０４の外部に流出することをより効果的に抑制することができる。
【００９５】
気液分離部１４０は、内筒１４７を備えている。容器１０４は、天井面１４６と底面１４５とを有している。内筒１４７は、容器１０４の内部において底面１４５から上方に向かって延び、且つ、導入室４１と導出室４２とに容器１０４の内部を区画する。フロート７１は、容器１０４の右側の周壁１４９の内面１４９ｓａと、内筒１４７との間に配置されている。
【００９６】
この構成によれば、フロート７１が上下に移動する際に、容器１０４の特に右側の周壁１４９の内面１４９ｓａのいずれかの部分または内筒１４７によって、フロート７１が支持されることにより、フロート７１に傾きが生じることを防止することができる。これにより、容器１０４の内部から外部に流出するオゾン水が流通する流路、つまり、導出流路部４４の断面積を、比較的大きく維持することができる。
【００９７】
気液分離部１４０において、容器１０４は、周壁１４９を有している。周壁１４９は、天井面１４６と底面１４５との間を上下方向に延びている。流入口１４１と流出口１４２とは、容器１０４の平面視において互いに対向するように周壁１４９に形成されている。内筒１４７は、筒形状を持つ仕切周壁１４７ｂを有している。容器１０４の平面視において、仕切周壁１４７ｂの一端側には、流入口１４１に面する導入口１４７ａが形成されている。容器１０４の平面視において、内筒１４７は、流出口１４２よりも流入口１４１の近くに配置されている。
【００９８】
この構成によれば、仕切周壁１４７ｂの他端側の外面と、容器１０４の他端側の周壁１４９の内面との距離を拡大させることができる。これにより、気液分離部１４０において、導出室４２の容積を少なくとも幅方向に拡大させることができる。したがって、容器１０４の内部に導入されたオゾン水を流出口１４２から排出させるまでに、容器１０４の内部においてオゾン水から未溶解の気体をより効率よく分離させることができる。
【００９９】
気液分離部１４０において、導出室４２を流通する溶液の流速は、流出口１４２に向かって加速される。また、導入室４１から導出室４２に移動する溶液が、仕切周壁１４７ｂの上端面１４７ｃ付近から底面１４５に向かって落下することによって導出室４２の水面Ｓに衝突する場合には、水面Ｓの周りの空気が溶液に混合されることにより、溶液に多数の気泡が発生する。
【０１００】
しかしながら、気液分離部１４０においては、仕切周壁１４７ｂおよび容器１０４の一端側から離れた位置に流出口１４２が配置されている。つまり、導入室４１から導出室４２に移動する溶液は、流出口１４２から比較的離れた位置において水面Ｓと衝突する。そのため、水面Ｓに衝突することによって多数の気泡が発生する場合でも、気泡を含む溶液が流出口１４２まで移動する間に、溶液から気泡を確実に分離させることができる。このようにして、この構成によれば、流出口１４２を通って容器１０４の外部に気泡が排出されることを抑制することができる。
【０１０１】
気液分離部１４０において、仕切周壁１４７ｂの一端側が容器１０４の周壁１４９の一端側に固定されている。容器１０４の平面視において、仕切周壁１４７ｂの一端側の外面から他端側の外面までの水平方向に沿った仕切周壁１４７ｂの寸法Ｌ1は、仕切周壁１４７ｂの他端側の外面から容器１０４の他端側の周壁１４９の内面１４９ｓａまでの水平方向に沿った距離Ｌ2よりも小さい。
【０１０２】
この構成によれば、内筒１４７と容器１０４とを容易に一体に形成することができる。また、流入口１４１に内筒１４７の仕切周壁１４７ｂをさらに近づけることができるとともに、仕切周壁１４７ｂと流出口１４２とをさらに遠ざけることができる。これにより、気液分離部１４０において、導出室４２の容積を容器１０４の幅方向にさらに拡大させることができる。また、この構成によれば、導入室４１から導出室４２に移動する溶液は、流出口１４２からより離れた位置において水面Ｓと衝突することができる。そのため、気泡を含む溶液が流出口１４２まで移動する間に、溶液から気泡をより確実に分離させることができる。
【０１０３】
気液分離部１４０において、内筒１４７の仕切周壁１４７ｂは、略円筒形状を有している。容器１０４の平面視において、流入口１４１と流出口１４２とを結ぶ直線は、フロート７１を通る。
【０１０４】
この構成によれば、導出室４２において、導出流路部４４を内筒１４７の周囲に形成させることができる。そのため、導入室４１から導出室４２に移動する溶液が水面Ｓに達する位置は、内筒１４７の周囲であって、流出口１４２から比較的離れた位置である。また、容器１０４の平面視において、流入口１４１と流出口１４２とを結ぶ直線がフロート７１を通る。そのため、内筒１４７から流出口１４２に向かって移動する溶液は、フロート７１によって移動が干渉され易い。そのため、容器１０４の内部において、溶液の流速が上昇することを抑制することができ、未溶解の気体が液体とともに容器１０４の外部に流出することを効果的に抑制することができる。
【０１０５】
気液分離部１４０において、導入室４１の容積は、導出室４２の容積よりも小さい。
【０１０６】
導入室４１から導出室４２に移動した溶液の流速は、導出室４２の容積が導入室４１の容積よりも大きいことにより、導出室４２において減速される。そのため、導出室４２を流れる溶液に含まれる未溶解の気体が、溶液とともに容器１０４の外部に排出されることを抑制することができる。
【０１０７】
気液分離部１４０において、液位調整部７０は、オゾン水の水位が所定の上限位に達する場合に流出口１４３を閉塞する。
【０１０８】
この構成によれば、容器１０４の内部において、未溶解の気体が溜められた空間４３の容積を所定の範囲において維持することができる。これにより、容器１０４の内部に流入したオゾン水が、気体が貯留された空間４３を通過する際に、オゾン水が気体に容易に触れることができるため、オゾン水に含まれる未溶解気体をオゾン水から効率よく分離させることができる。
【０１０９】
また、容器１０４の内部に勢いよくオゾン水が流入する場合でも、未溶解の気体が溜められた空間４３の容積が比較的大きいことと、液位調整部７０によって流出口１４３が閉塞されていることとにより、流出口１４３からオゾン水が噴出することを確実に防止することができる。
【０１１０】
オゾン水生成装置１００は、気液分離部１４０と、気体状態のオゾンを発生させるオゾン発生器１２０と、気液分離部１４０に供給される溶液に、オゾン発生器１２０が発生させたオゾンを混合させるエジェクタ１３０とを備えている。
【０１１１】
気液分離部１４０を備えたオゾン水生成装置１００は、未溶解のオゾンが気液分離部１４０の外部に流出することを抑制することができる。
【０１１２】
なお、オゾンは、装置が供給する液体に積極的に混入且つ溶解されることにより、その物質が溶解された液体を装置の使用者が使用する際には有用な物質の一例である。本発明に従った溶解液生成装置が生成する溶液は、気体状態のオゾンが溶解した溶液（つまり、オゾン水）を生成するものに限定されない。気液分離部１４０を備えた溶解液生成装置は、未溶解気体が気液分離部１４０の外部に流出することを抑制することができる。
【０１１３】
なお、気液分離部１４０において、フロート７１の形状は略円筒状であって、フロート７１の周壁７１ｂの水平断面の断面積は、容器１０４の上下方向に沿って一定である。しかしながら、フロート７１の形状は、略円筒形状に限定されない。つまり、フロート７１の周壁７１ｂの水平断面の断面積は、容器１０４の上下方向に沿って一定でなくてもよい。また、容器１０４の周壁１４９の内面１４９ｓａは、容器１０４の上下方向に沿って真っ直ぐに延びていなくてもよく、仕切周壁１４７ｂの水平断面の断面積は、容器１０４の上下方向に沿って一定でなくてもよい。それぞれの断面積が容器１０４の上下方向に沿って一定でない場合には、水面Ｓにおいてのフロート７１の水平断面の断面積と導出流路部４４とが比較されることが好ましい。
【０１１４】
なお、気液分離部１４０において、フロート７１は中空形状を有し、フロート７１の底面（参照番号なし）が円環形状を有している。そのため、フロート７１の水平断面の断面積とは、導出室４２の水面Ｓにおいてフロート７１の周壁７１ｂによって形成された円の面積と言い換える。また、フロート７１が中空形状を有し、導出室４２の水面Ｓにおいてフロート７１の周壁７１ｂの形状が多角形である場合には、フロート７１の水平断面の断面積とは、導出室４２の水面Ｓにおいてフロート７１の周壁７１ｂによって形成された多角形の面積と言い換える。フロート７１は、底面を有し且つ密閉された構造を有していてもよい。
【０１１５】
なお、ノズル２１ｐが延びる方向と、ノズル２２ｐが延びる方向とは、それぞれ異なっていてもよい。ノズル２１ｐが延びる方向と、ノズル２２ｐが延びる方向とは、略水平方向であることに限定されない。ただし、ノズル２１ｐは、ノズル２１ｐの内部から容器１０４の内部に略水平方向に溶液が流入するように、容器１０４に取り付けられていることが好ましい。また、ノズル２２ｐは、容器１０４の内部からノズル２２ｐの内部に略水平方向に溶液が流出するように、容器１０４に取り付けられていることが好ましい。
【０１１６】
なお、内筒１４７は、容器１０４と一体成型されていてもよい。また、ノズル２１ｐは、流入口１４１を貫通し且つ導入口１４７ａに一部が収容されていてもよい。あるいは、ノズル２１ｐの端面は、流入口１４１を囲む周壁１４９の外面１４９ｓｂに接触するように、周壁１４９の外面１４９ｓｂに取り付けられていてもよい。同様に、ノズル２２ｐの端面は、流出口１４２を囲む周壁１４９の外面１４９ｓｂに接触するように、周壁１４９の外面１４９ｓｂに取り付けられていてもよい。
【０１１７】
流出口１４３は、天井面１４６ではなく、容器１０４の他端側の周壁１４９に形成されていてもよい。
【０１１８】
液位調整部７０は、図２に示す構成を備えていることに限定されない。液位調整部７０は、例えば容器１０４においての流出口１４３の位置に応じて、容器１０４側の支持部が周壁１４９に取り付けられていてもよい。
【０１１９】
なお、気体導入部１１０は、オゾン水生成装置１００の外部から内部に気体を導入させることが可能であるように構成されていればよい。例えば、気体導入部１１０の構成は、逆止弁１１２の代わりにオゾン発生器１２０に供給される気体量を制御することが可能な開閉バルブまたは電磁弁等を備えていてもよい。あるいは、気体導入部１１０は、逆止弁１１２を備えていなくてもよく、接続部１１３に三方向弁が配置されたような構成であってもよい。この三方向弁は、例えば、電子的に制御されるものであって、図示しない制御部によって制御される。
【０１２０】
接続部１１３の位置は、気体流路１１４のうち、オゾン発生器１２０とエジェクタ１３０との間であってもよい。つまり、管路１１１は、気体流路１１４のうち、オゾン発生器１２０とエジェクタ１３０との間を延びる部分に接続されていてもよい。
【０１２１】
なお、気液混合部の構成は、エジェクタ型のものに限定されず、気体流路１１４から導入されたオゾンと液体流路１２１を流通する水とを混合させ、且つ、オゾンを水に溶解させる構成を有していればよい。
【０１２２】
（第２実施形態）
以下では、第２実施形態に係るオゾン水生成装置について、図４を用いて説明する。なお、以下において、第１実施形態に係るオゾン水生成装置１００の構成と同様の機能を有する構成には同符号を付し、その説明を省略する。
【０１２３】
以下に説明するように、第２実施形態に係るオゾン水生成装置が第１実施形態に係るオゾン水生成装置１００と異なる点は、第２実施形態に係るオゾン水生成装置は、気液分離部１４０の代わりに気液分離部２４０を備えている点である。
【０１２４】
図４に示すように、気液分離部２４０は、容器２０４と、容器２０４に収容された半筐体２４７と、半筐体２４７に接続された仕切板２４８とを備えている。容器２０４は、周壁２４９を有している。周壁２４９は、筒形状を有している。周壁２４９は、容器２０４の上下方向に沿って真っ直ぐに延びている。
【０１２５】
図４には図示されていないが、容器２０４は、天井面と底面とを有している。容器２０４の天井面と底面とは、それぞれ略長方形状を有している。周壁２４９は、天井面と底面との間を上下方向に延びている。周壁２４９の水平断面の形状は、環状の略長方形状である。
【０１２６】
例えば、図４の左右方向のことを容器２０４の幅方向という。また、図４の上下方向のことを容器２０４の奥行き方向または前後方向という。なお、図４の表裏方向は、鉛直上下方向と略一致している。
【０１２７】
仕切部材の一例としての半筐体２４７は、容器２０４の内部において容器２０４の幅方向の一端側且つ奥行き方向の一端側に配置されている。半筐体２４７は、容器２０４の内部の左側且つ後側に配置されている。半筐体２４７は、仕切周壁２４７ｂを有している。仕切周壁２４７ｂの水平断面は、略Ｕ字形状を有している。仕切周壁２４７ｂは、容器２０４の底面から上方に向かって延びている。容器２０４の天井面に面する仕切周壁２４７ｂの上端面（図示せず）は、天井面よりも下方に配置されている。
【０１２８】
仕切部材の一例としての仕切板２４８は、容器２０４の底面から上方に向かって真っ直ぐに延びている。容器２０４の天井面に面する仕切板２４８の上端面（図示せず）は、天井面よりも下方に配置されている。また、仕切板２４８は、板形状を有している。仕切板２４８の水平断面は、略長方形状を有している。仕切板２４８の一端は、左側の周壁２４９の内面２４９ｓａに接続されている。仕切板２４８の他端は、左側の周壁２４９と右側の周壁２４９との間に配置されている。半筐体２４７の前端部と仕切板２４８の背面とが接続されることによって、仕切板２４８が半筐体２４７に接続されている。
【０１２９】
半筐体２４７および仕切板２４８により、導入室４１と導出室４２とに容器２０４の内部が区画される。導入室４１は、容器２０４の内部の後側において、仕切周壁２４７ｂと仕切板２４８とに囲まれた空間を含む。導出室４２は、容器２０４の周壁２４９の内面２４９ｓａの一部と、仕切周壁２４７ｂの外面の一部および仕切板２４８とに囲まれた空間を含む。導入室４１と導出室４２とは、容器２０４の天井面付近の空間の一部、つまり、仕切周壁２４７ｂの上端面および仕切板２４８の上端面と、天井面とに挟まれた空間によって互いに接続されている。
【０１３０】
オゾン水の流入口２４１とオゾン水の流出口２４２とは、周壁２４９に形成されている。第１の開口の一例としての流入口２４１と、第２の開口の一例としての流出口２４２とは、半筐体２４７の上端面および仕切板２４８の上端面よりも下方に配置されている。流入口２４１は、容器２０４の外部と導入室４１とを連通させる。上下方向に沿った流入口２４１の下端の位置は、容器２０４の底面の位置と略一致している。一方、導出室４２と容器２０４の外部とは、流出口２４２を介して互いに連通する。上下方向に沿った流出口２４２の下端の位置は、容器２０４の底面の位置と略一致している。
【０１３１】
なお、気液分離部２４０において、気体の流出口（図示せず）は、第１実施形態に係るオゾン水生成装置１００の気液分離部１４０（図２参照）と同様に、容器２０４の上壁に形成されている。
【０１３２】
容器２０４の左側の周壁２４９にはノズル２３ｐとノズル２４ｐとが取り付けられている。ノズル２３ｐは、流入口２４１に挿入されている。ノズル２３ｐと、ノズル２４ｐは、互いに略平行な方向であって、容器２０４の幅方向に延びている。
【０１３３】
ノズル２４ｐは、流出口２４２に挿入されている。ノズル２３ｐの内部とノズル２４ｐの内部とは、液体流路１２１の一部を形成している。なお、ノズル２３ｐとノズル２４ｐのいずれかまたは両方は、容器２０４と一体成型されていてもよい。
【０１３４】
流入口２４１と流出口２４２とは、容器２０４の前後方向に沿って並ぶように周壁２４９に形成されている。容器２０４の左側の周壁２４９において、流入口２４１は後側に配置され、流出口２４２は前側に配置されている。容器２０４の上下方向に沿った流入口２４１の位置と流出口２４２の位置とは、互いに略同一の位置である。
【０１３５】
容器２０４の奥行き方向に沿って、流入口２４１と流出口２４２との間には、仕切板２４８が配置されている。流入口２４１を通って容器２０４の外部から導入室４１に流入するオゾン水は、図４の左方から右方に向かって流れる。一方、流出口２４２を通って導出室４２から容器２０４の外部に流出するオゾン水は、図４の右方から左方に向かって流れる。このように、流入口２４１から容器２０４の内部に流入したオゾン水は、流出口２４２から容器２０４の外部に流出するまでの間に、容器２０４の平面視において流れ方向が１８０度変更される。
【０１３６】
導入口２４７ａの口径と、流入口２４１に挿入された部分のノズル２３ｐの口径とは、略同一である。ノズル２３ｐは、流入口２４１に挿入された部分のノズル２３ｐの端面が、導入口２４７ａを囲む仕切周壁２４７ｂの外面と接触するように、仕切周壁２４７ｂに取り付けられている。周壁２４９の内面２４９ｓａまたは仕切周壁２４７ｂの外面において、導入口２４７ａは、流入口２４１に面している。
【０１３７】
このように、液体流路１２１は、周壁２４９と仕切周壁２４７ｂとにおいて連続している。さらに、液体流路１２１は、ノズル２３ｐの内部と、仕切周壁２４７ｂの内側との間において連続している。導入室４１と容器２０４の外部とは、流入口２４１および導入口２４７ａを介して互いに連通する。
【０１３８】
仕切周壁２４７ｂの左端側の外面が容器２０４の左端側の周壁２４９の内面２４９ｓａに固定されることにより、半筐体２４７は容器２０４に接触している。容器２０４の平面視において、半筐体２４７は、仕切周壁２４７ｂの左端側の外面から右端側の外面までの水平方向に沿った仕切周壁２４７ｂの寸法Ｌ3を有している。また、容器２０４の平面視において、半筐体２４７は、仕切周壁２４７ｂの前端から容器２０４の周壁２４９の内面２４９ｓａまでの水平方向に沿った仕切周壁２４７ｂの寸法Ｌ4を有している。仕切周壁２４７ｂの水平断面の断面積は、容器２０４の上下方向に沿って一定である。
【０１３９】
一方、容器２０４の平面視において、仕切板２４８は、容器２０４の幅方向に沿った寸法Ｌ5と、容器２０４の奥行き方向に沿った寸法Ｌ6とを有している。仕切板２４８の水平断面の断面積は、容器２０４の上下方向に沿って一定である。
【０１４０】
容器２０４の平面視において、仕切周壁２４７ｂの左端側には、導入口２４７ａが形成されている。仕切周壁２４７ｂの左端側の外面は、容器２０４の左側の周壁２４９の内面２４９ｓａに接触している。仕切周壁２４７ｂの後側の外面は、容器２０４の後側の周壁２４９の内面２４９ｓａに接触している。
【０１４１】
図４には図示されていないが、気液分離部２４０において、気液分離部１４０（図２参照）と同様に、導出室４２の上方には、気体を貯留する空間が形成されている。
【０１４２】
気液分離部２４０は、導出室４２のオゾン水の水位に連動することによって気体の流出口を開閉する液位調整部を備えている。液位調整部は、フロート８１を有している。気液分離部２４０の液位調整部のフロート８１の容器２０４に対する取り付けの構成と、気液分離部１４０（図２参照）の液位調整部７０のフロート７１の容器１０４に対する取り付けの構成とは、同様である。
【０１４３】
フロート８１は、上壁（図示せず）と周壁８１ｓとを有している。フロート８１の周壁８１ｓは、筒形状を有している。フロート８１の周壁８１ｓの水平断面は、容器２０４の上下方向に沿って一定である。フロート８１は、容器２０４の前側の周壁２４９の内面２４９ｓａと、仕切板２４８との間に配置されている。
【０１４４】
容器２０４の平面視において、フロート８１は、容器２０４の幅方向に沿った寸法Ｌ7と、容器２０４の奥行き方向に沿った寸法Ｌ8とを有している。一方、容器２０４の平面視において、容器２０４の周壁２４９の内面２４９ｓａは、左側の周壁２４９の内面２４９ｓａから右側の周壁２４９の内面２４９ｓａまでの容器２０４の幅方向の寸法Ｌ9と、前側の周壁２４９の内面２４９ｓａから後側の周壁２４９の内面２４９ｓａまでの容器２０４の奥行き方向の寸法Ｌ10とを有している。
【０１４５】
なお、気液分離部２４０において、フロート８１は中空形状を有し、フロート８１の底面（図示せず）が環形状を有している。そのため、フロート８１の水平断面の断面積とは、導出室４２の水面においてフロート８１の周壁８１ｓによって形成された略長方形の面積と言い換える。フロート８１は、底面を有し且つ密閉された構造を有していてもよい。
【０１４６】
図４に示すように、フロート８１の周壁８１ｓの隣り合う二つの面が交わる部分には、所定の曲率を有する曲面が形成されている。一方、半筐体２４７の左後側の面と後側の面とが交わる部分、および、半筐体２４７の右後側の面と後側の面とが交わる部分には、それぞれ所定の曲率を有する曲面が形成されている。
【０１４７】
また一方、容器２０４の周壁２４９の隣り合う二つの内面２４９ｓａが交わる部分には、所定の曲率を有する曲面が形成されている。左後側の周壁２４９の内面２４９ｓａと後側の周壁２４９の内面２４９ｓａとが交わる部分に形成された曲面の曲率と、半筐体２４７の左後側の面と後側の面とが交わる部分に形成された曲面の曲率とは、略一致する。
【０１４８】
導出室４２に溜められたオゾン水の水面において、フロート８１の水平断面の断面積は、導出流路部４４の断面積以下である。なお、導出流路部４４の断面積とは、導出室４２の水平断面の断面積から少なくともフロート８１の水平断面の断面積を減じた断面積のことである。言い換えると、導出流路部４４は、導出室４２の水平断面の断面積から少なくともフロート８１の水平断面の断面積を減じた断面積を有している。
【０１４９】
なお、図４に示す例において、フロート８１の水平断面の断面積は、導出流路部４４の断面積の半分以下である。ただし、容器２０４の容積に対して、より大きなフロート８１が容器２０４に収容されていてもよい。フロート８１の水平断面の断面積は、導出流路部４４の断面積以下であればよい。
【０１５０】
なお、フロート８１の周壁８１ｓの水平断面の断面積は、容器２０４の上下方向に沿って一定でなくてもよい。また、容器２０４の周壁２４９の内面２４９ｓａは、容器２０４の上下方向に沿って真っ直ぐに延びていなくてもよく、仕切周壁２４７ｂの水平断面の断面積は、容器２０４の上下方向に沿って一定でなくてもよい。さらに、周壁２４９の外面２４９ｓｂの形状は、特に限定されない。それぞれの断面積が容器２０４の上下方向に沿って一定でない場合には、導出室４２の水面においてのフロート８１の水平断面の断面積と導出流路部４４とが比較されることが好ましい。
【０１５１】
以上のように構成された気液分離部２４０は、第１実施形態に係るオゾン水生成装置１００の気液分離部１４０と同様の作用効果を得ることができる。また、気液分離部２４０を備えたオゾン水生成装置は、第１実施形態に係るオゾン水生成装置１００と同様の作用効果を得ることができる。
【０１５２】
なお、第１実施形態に係るオゾン水生成装置１００と第２実施形態に係るオゾン水生成装置とのうち、例えばオゾン水生成装置１００は、衛生器具用洗浄装置に用いることができる。衛生器具には、例えば、便所、洗面所、または、浴室に用いられた大小便器、手洗い器、洗面器、または、浴槽等が含まれる。つまり、オゾン水生成装置１００を備えた衛生器具用洗浄装置は、例えば、便所、洗面所、もしくは、浴室に用いられる器具、または、便所、洗面所、もしくは、浴室を洗浄するための装置である。
【０１５３】
例えば、図５に示すように、小便器９０１，９０２，９０３を洗浄するための衛生器具用洗浄装置９５０が便所９００に設置されている。便所９００は、衛生器具設備の一例である。衛生器具用洗浄装置９５０は、小便器９０１，９０２，９０３を含む便器に水を供給するための配管９１０に接続されている。衛生器具用洗浄装置９５０は、オゾン水生成装置１００を備えている。配管９１０を流通する水が衛生器具用洗浄装置９５０を通過するときに水にオゾンが溶解されることにより、オゾン水が生成される。衛生器具用洗浄装置９５０を通過した後に配管９１０を流通するオゾン水は、小便器９０１，９０２，９０３を含む便器に供給される。
【０１５４】
また例えば、図６に示すように、小便器９２０は、衛生陶器９２１を洗浄するための衛生器具用洗浄装置９２２を備えている。小便器９２０は、衛生器具の一例である。衛生器具用洗浄装置９２２は、小便器９２０の上部に配置されている。衛生器具用洗浄装置９２２は、オゾン水生成装置１００を備えている。
【０１５５】
さらに例えば、図７に示すように、大便器９４０は、洗浄便座９３０を備えている。洗浄便座９３０は、オゾン水生成装置１００を備えた洗浄ユニット９３４と、便座カバー９３３と、便座９３２とを有する。洗浄ユニット９３４は、衛生陶器９３１を洗浄するための衛生器具用洗浄装置の一例である。大便器９４０は、衛生器具の一例である。
【０１５６】
オゾン水生成装置１００を備えた衛生器具用洗浄装置において、オゾン水生成装置１００は、未溶解気体が気液分離部１４０（図２参照）の外部に流出することを抑制することができる。
【０１５７】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【０１５８】
４１：導入室、４２：導出室、４４：導出流路部、７０：液位調整部、７１：フロート、１００：オゾン水生成装置、１０４：容器、１２０：オゾン発生器、１３０：エジェクタ、１４０：気液分離部、１４１：流入口、１４２：流出口、１４３：流出口、１４５：底面、１４６：天井面、１４７：内筒、１４７ａ：導入口、１４７ｂ：仕切周壁、１４９：周壁
【図１】
0005959860.tif 000002
【図２】
0005959860.tif 000003
【図３】
0005959860.tif 000004
【図４】
0005959860.tif 000005
【図５】
0005959860.tif 000006
【図６】
0005959860.tif 000007
【図７】
0005959860.tif 000008